(57)【要約】【課題】子供部屋や一人暮らしのワンルームマンション・アパート等、狭い空間を効率的に使える女性でも組み立て可能なロフトベッドの提供  【解決手段】ほぞが付いたほぞ付き支持柱の上方面に垂直にほぞを固定し、４隅にほぞ通し孔を設けた寝台を、そのほぞ通し孔のほぞ付き支持柱のほぞを貫通させて、ほぞ付き支持柱の上に寝台を乗せるとともにほぞ付き支持柱の位置を安定化し、更にほぞ通し孔が付いた落下防止枠を寝台のほぞ通し孔を貫通したほぞにそのほぞ通し孔を貫通させて乗せて組み立てる組立用ロフトベッド。【選択図】図９
2018068546.tif 000002
【特許請求の範囲】
【請求項１】
４本の柱を垂直に立て矩形となるように連結し、上方の矩形の全部または一部の面にプレートを取り付け、そのプレート面の上面にほぞを垂直に固定して、ほぞ付き支持柱とし、４本のほぞ付き支持柱上に、４隅にほぞ通し孔を設けた寝台をほぞ付き支持柱のほぞを貫通させて乗せ、４本のほぞ付き支持柱の位置を固定し、更に寝台の上に、４隅にほぞ通し孔を設けた落下防止用の枠をほぞ付き支持柱のほぞを貫通させて寝台の周囲に乗せた組立用ロフトベッド。
【請求項２】
３本の柱を垂直に立て直角三角形となるように連結し、上方の直角三角形の全部または一部の面にプレートを取り付け、そのプレート面の上面にほぞを垂直に固定して、ほぞ付き支持柱とし、４本のほぞ付き支持柱上に、４隅にほぞ通し孔を設けた寝台をほぞ付き支持柱のほぞを貫通させて乗せ、４本のほぞ付き支持柱の位置を固定し、更に寝台の上に、４隅にほぞ通し孔を設けた落下防止用の枠をほぞ付き支持柱のほぞを貫通させて寝台の周囲に乗せた組立用ロフトベッド。
【請求項３】
筒状の柱の上方の断面にプレートを取り付け、そのプレート面の上面にほぞを垂直に固定して、ほぞ付き支持柱とし、４本のほぞ付き支持柱上に、４隅にほぞ通し孔を設けた寝台をほぞ付き支持柱のほぞを貫通させて乗せ、４本のほぞ付き支持柱の位置を固定し、更に寝台の上に、４隅にほぞ通し孔を設けた落下防止用の枠をほぞ付き支持柱のほぞを貫通させて寝台の周囲に乗せた組立用ロフトベッド。
【請求項４】
ほぞ付き支持柱及び落下防止枠を金属製とし、寝台を木製とする請求項１ないし請求項３のいずれかの組立用ロフトベッド。
【請求項５】
４隅にほぞ通し孔を設けた木製化粧枠を、落下防止用の枠の上に、落下防止枠のほぞ通し孔を貫通して突き出たほぞを木製化粧枠のほぞ通し孔を貫通させて取付けた木製化粧枠付きの請求項１ないし請求項４のいずれかの組立用ロフトベッド。
【請求項６】
昇降用梯子を落下防止用の枠に取り付けた請求項１ないし請求項５のいずれかの組立用ロフトベッド。
【発明の詳細な説明】
【技術分野】
【０００１】
本発明は、容易に組み立てることができるロフトベッドに関するものである。
【背景技術】
【０００２】
ロフトベッドとはハイベッドとも呼ばれ、ベッド部分が床より高い位置にあり、ベッドにあがるための梯子や階段などが付き、その下は勉強机やソファ、ハンガー等が入る空間になっているベッドをいう。 狭い空間を効率的に使えるので、子供部屋や一人暮らしのワンルームマンション・アパート等に利用される。ロフトとは「屋根裏」「中二階」などの意味があり、ロフトベッドは「システムベッド」ともいわれるが、ここではロフトベッドとする。
【０００３】
このロフトベッドは、ワンルームマンション等において利用されるため、１セットとして部屋に持ち込み、不慣れな人や女性でも組み立てることができる軽量なものが望まれる。
【０００４】
ロフトベッドに関する先行技術としては、以下のような文献が見受けられる。
二段ベッドやロフトベッドにあって、枠体と該枠体に取付けた床部材とより構成してなり、前記床部材の下面側に対し、単又は複数の埃受け部材を前記枠体或いは床部材に支持させて覆設してなる、下段ベッドや作業領域への綿埃等の落下を防止できるベッド(特許文献１)、
各一対の第１側枠及び第２側枠と、その間に着脱自在に架設される寝台及び平板と、柵及び梯子に兼用される格子材とを組み替えて、ベビーベッド及びロフトベッドの２形態に変換できるようにし、子供が成長後にも使用できる組替式家具(特許文献２)、
ベッドユニットの脚を支えるために、左側に本棚ユニットを配置し、右側に衣類棚ユニットを配置し、本棚ユニットには上棚が備えられ、衣類棚ユニットには上棚が備えられて、ベッドユニットの脚は、それぞれ２本ずつ、上棚および上棚上に乗せられ、下方から支えられた、横揺れに対する強度が高く、組み立て時の見栄えの良い木製ベッドユニット(特許文献３)、
ベッド本体は、ヘッドボードおよびフットボードを有しており、ヘッドボードの一部は、サイドボードよりも下方に突出する突出部となり、突出部および板状支持材は、ハイベッドとしてのシステムベッドの脚をそれぞれ構成している、使い勝手がよいハイベッド(特許文献４)、
相互に組立・分離可能に構成された机を含む下段構造及び組立状態において下段構造上に設置されるベッドを具備し、ベッドは寝台部と寝台部の長さ方向両端部に接続された一対の端枠部とを有し、独立状態では少なくとも一方の端枠部が寝台部を基準として上方へ偏在する独立態様とされ、組立状態では少なくとも一方の端枠部が寝台部を基準として下方へ偏在する組立態様とされ、少なくとも一方の端枠部が下段構造に着脱可能に連結されて寝台部を支持する各構造部を組立可能に構成したシステムベッド(特許文献５)、等がある
【先行技術文献】
【特許文献】
【０００５】
【特許文献１】特開２００４‐２３６７１１号公報
【特許文献２】特開２００２−１７７０７６号公報
【特許文献３】特開２００６‐５５４６９号公報
【特許文献４】特開２００８‐２７９１９６号公報
【特許文献５】実用新案登録第３１２９４６３号公報
【０００６】
上記各先行技術はロフトベッドに関するものであるが、特許文献１は、下段に下降する綿埃を防止するものであり、特許文献２は、ベビーベッドとロフトベッドの２形態に変換できるようにしたロフトベッドであり、また特許文献３は、ベッドユニットの脚に本棚ユニットと衣類棚ユニットが乗せられ横揺れに対する強度を強くしたベッドユニットの発明である。また、特許文献４は、板状支持材および箱状支持材を取り外し、床に当接されて相対的に低いベッドとなることができるシステムベッドに関するものであり、特許文献５は、組立可能に構成したシステムベッドに関するものではあるが、その組み立て方法に手間がかると思われる。
【発明の概要】
【発明が解決しようとする課題】
【０００７】
そこで、本願では、構造が比較的簡単であり、ワンルームマンション内等においても組み立てが容易なロフトベッドを提供するものである。
【課題を解決するための手段】
【０００８】
すなわち第１発明は、４本の柱を垂直に立て矩形となるように連結し、上方の矩形の全部または一部の面にプレートを取り付け、そのプレート面の上面にほぞを垂直に固定して、ほぞ付き支持柱とし、４本のほぞ付き支持柱上に、４隅にほぞ通し孔を設けた寝台をほぞ付き支持柱のほぞを貫通させて乗せ、４本のほぞ付き支持柱の位置を固定し、更に寝台の上に、４隅にほぞ通し孔を設けた落下防止用の枠をほぞ付き支持柱のほぞを貫通させて寝台の周囲に乗せた組立用ロフトベッドである。
【０００９】
柱の断面は、円形、矩形を問わないし、円形又は矩形の筒状であってもよい。この柱４本は同じ長さであり、4本の柱を横木等で連結してその断面が矩形になるようにする。この上方の矩形の全部あるいは一部の面にプレートを取り付ける。プレートは、床面に対し水平で、ほぞを上方に垂直に立てるための面であり、後述する寝台、落下防止用枠及び使用する人の体重を支える部位となるものである。そのプレートにほぞを上方に向け垂直に固定する。ほぞとは、木材、金属など２つの部材を接合するために一方の部材の端に作り出した突起をいう。このほぞが付いたロフトベッドの４本の脚となるものをほぞ付き支持柱とする。尚、上方とは天井に向かう方向をいう。
ほぞはプレートに確実に固定しなければならない。ほぞがぐらついたり、プレートから脱落すれば、使用者の怪我等重大な事故の発生原因となる。
【００１０】
この４本のほぞ付き支持柱を所定の位置に垂直に立て、４隅にほぞ通し孔を設けた寝台のほぞ通し孔に、ほぞ付き支持柱のほぞ(以下、ほぞという場合もある)を貫通させて、４本のほぞ付き支持柱の上に寝台を乗せ、４本のほぞ付き支持柱が固定する。ここで寝台とは、人が寝るための適当な広さを持った長方形の平面板をいうものとする。この寝台の４隅にほぞ通し孔が設けられ、中央部には適宜通風孔が開けられている。
４隅とは、寝台また後述する落下防止枠、木製化粧枠は長方形であり、この長方形の内部の直角部に近い場所をいう。
【００１１】
先ず、ほぞ付き支持柱４本を適当な広さに床上に立てる。その上に寝台を乗せ、ほぞ付き支持柱をそれぞれ移動させて寝台のほぞ通し孔に貫通させ、ほぞ付き支持柱の位置が固定する。
【００１２】
次に、寝台の４隅のほぞ通し孔から突き出たほぞ付き支持柱のほぞに、４隅にほぞ通し孔を設けた落下防止用の枠のほぞ通し孔に貫通させて、落下防止枠を寝台の上に乗せ、組立用ロフトベッドとする。落下防止用枠は、人が寝台から落下しないように寝台の周囲を囲む枠であり、所定の高さを有している。
【００１３】
落下防止枠のほぞ通し孔は、落下防止枠の上下の４隅ににプレートを取り付け(この場合にはプレートを取り付ける場所は8か所となる)、そこにほぞ通し孔を設けることができるが、寝台のほぞ通し孔を貫通したほぞが、更に貫通できる構造であればよい。
【００１４】
続いて第２発明は、３本の柱を垂直に立て直角三角形となるように連結し、上方の直角三角形の全部または一部の面にプレートを取り付け、そのプレート面の上面にほぞを垂直に固定して、ほぞ付き支持柱とし、４本のほぞ付き支持柱上に、４隅にほぞ通し孔を設けた寝台をほぞ付き支持柱のほぞを貫通させて乗せ、４本のほぞ付き支持柱の位置を固定し、更に寝台の上に、４隅にほぞ通し孔を設けた落下防止用の枠をほぞ付き支持柱のほぞを貫通させて寝台の周囲に乗せた組立用ロフトベッドである。
【００１５】
第１発明は、４本の柱を矩形に連結してほぞ付き支持柱としたものであるが、第２発明では、３本の柱を連結して、その断面が直角三角形となるように横木等で連結し、上方の直角三角形の全部または一部の面にプレートを取り付け、そのプレートにほぞを上方に向け垂直に固定し、これをほぞ付き支持柱とするものである。
１本の柱だけでは垂直に立てることが難しくとも、４本の柱を矩形にあるいは３本の柱を直角三角形に連結すれば、それぞれ独立して垂直に立てることができる。直角三角形とするのは寝台、落下防止枠は、その４隅は直角であり、これに合わせるためである。
【００１６】
組み立て方法は第１発明の４本の柱を矩形に連結したほぞ付き支持柱と同じであり、３本の柱を直角三角形に連結したほぞ付き支持柱のほぞを、寝台のほぞ通し孔に貫通し、更に落下防止枠のほぞ通し孔に貫通させてロフトベッドを組み立てる。寝台、落下防止枠は第１発明と同じである。
【００１７】
続いて、第３発明は、筒状の柱の上方の断面にプレートを取り付け、そのプレート面の上面にほぞを垂直に固定して、ほぞ付き支持柱とし、４本のほぞ付き支持柱上に、４隅にほぞ通し孔を設けた寝台をほぞ付き支持柱のほぞを貫通させて乗せ、４本のほぞ付き支持柱の位置を固定し、更に寝台の上に、４隅にほぞ通し孔を設けた落下防止用の枠をほぞ付き支持柱のほぞを貫通させて寝台の周囲に乗せた組立用ロフトベッドである。
【００１８】
第1発明、第２発明では、柱を４本あるいは３本用意し、プレートを取り付け、そのプレートにほぞを垂直に固定しててほぞ付き支持柱とするものであるが、第３発明では筒状の１本の柱の上方の断面にプレートを取り付け、そのプレート面の上面にほぞを垂直に固定し、ほぞ付き支持柱とするものである。
【００１９】
金属製パイプだけでなく、木製パイプ、プラスチック製パイプも市販されている。筒状であって内部は空洞であり、円形あるいは矩形を問わず筒状であれば足りる。筒状としたのは軽量化でき、女性でも組み立てができるようにするためである。
水平のプレート上に垂直にほぞが固定されたものを、ほぞ付き支持柱とするが、整理の意味で、第１発明の４本の柱を用いたほぞ付き支持柱を矩形ほぞ付き支持柱、第２発明の３本の柱を用いたほぞ付き支持柱を直角ほぞ付き支持柱とし、第３発明の１本の柱を用いたほぞ付き支持柱を単独ほぞ付き支持柱とする。
【００２０】
第３発明の単独ほぞ付き支持柱では単独で立てることができにくいが、寝台を床に対し略垂直に立て掛け、その状態で単独ほぞ付き支持柱のほぞを、寝台のほぞ通し孔に貫通させ、その後に４本の単独ほぞ付き支持柱を立たせることにより、ロフトベッドを組み立てることができる。寝台、落下防止枠は第１発明と同じである。
尚、中が空洞の筒状ではなく、棒状の柱を単独ほぞ付き支持柱とすることもできる。
【００２１】
第４発明は、ほぞ付き支持柱及び落下防止枠を金属製とし、寝台を木製とする第１発明ないし第３発明のいずれかの組立用ロフトベッドである。
【００２２】
木製あるいはプラスチック製であっても、ロフトベッドの強度は維持できる場合があるが、ほぞ付き支持柱及び落下防止枠を金属製とするのは、より安全を確保するためである。ロフトベッドでは寝ている位置が床面より１ｍ以上高く、耐震性も必要であり、金属製に限定するものである。金属製であり、鉄製だけでなくより軽量なアルミ製であってもよい。また、落下防止枠も金属製とするのは同様の目的のためである。
【００２３】
第５発明は、４隅にほぞ通し孔を設けた木製化粧枠を、落下防止用枠の上に、落下防止枠のほぞ通し孔を貫通して突き出たほぞを木製化粧枠のほぞ通し孔を貫通させて取付けた木製化粧枠付きの第１発明ないし第４発明のいずれかの組立用ロフトベッドである。
【００２４】
落下防止枠の上に木製化粧枠を乗せるのは、感触と外観のためである。起き上がるときや横になるときには落下防止枠を掴むことが多い。落下防止枠が金属製の場合、冬季には冷たく感じる。また、木製化粧枠には模様を施し、部屋に潤いを与えることができる。そこで落下防止枠の上に木製化粧枠を乗せるものである。
【００２５】
第６発明は、昇降用梯子を落下防止用の枠に取り付けた第１発明ないし第５発明のいずれかの組立用ロフトベッドである。
【００２６】
矩形ほぞ付き支持柱、直角ほぞ付き支持柱では４本あるいは３本の柱を横木等にて連結する。その横木がロフトベッドの昇降用梯子として使用可能である。しかし、垂直なため昇降しにくい場合もある。また単独ほぞ付き支持柱では、昇降用梯子はないため、昇降用梯子を準備するものである。
【発明の効果】
【００２７】
第１発明、第２発明及び第３発明は、ほぞ付き支持柱の上にほぞ通し孔が付いた寝台、落下防止枠を乗せて、組み立て容易なロフトベッドを提供するものである。
第４発明は、耐震性等安全性を向上させるものであり、第５発明、第６発明はそれぞれロフトベッドの利用者の利便性を向上させるものである。
【図面の簡単な説明】
【００２８】
【図１】図１は、矩形ほぞ付き支持柱の概略図であり、（Ａ）は平面図と正面図、（Ｂ）は側面図を示す。
【図２】図２は、直角ほぞ付き支持柱の概略図であり、（Ａ）は平面図と正面図、（Ｂ）は側面図を示す。
【図３】図３は、直角ほぞ付き支持柱の斜視概略図を示す。
【図４】図４は、図４は、筒状柱を利用した単独ほぞ付き支持柱を示す。
【図５】図５は、寝台の概略図である。
【図６】図６は、落下防止用枠の概略図である。
【図７】図７は、落下防止枠の長手方向の正面概略図である。
【図８】図８は、化粧枠の平面概略図である。
【図９】図９は、ロフトベッドの正面図と側略図である。
【図１０】図１０は、ロフトベッドの平面図と底面図である。
【図１１】図１１は、寝台の通風孔を変えたロフトベッドの平面図である。
【発明を実施するための形態】
【００２９】
以下に本発明の実施例を示す。
【実施例１】
【００３０】
図１は、４本の柱を矩形に連結したほぞ付き支持柱２の概略図である。図１の（Ａ）は、平面図と正面図であり、（Ｂ）は側面図である。４本の柱２１は、横木２４により矩形に連結されている。その４本の柱２１でつくられた上面の矩形の一部にプレート２２を取付ける。なお、図１では矩形の一部にプレート２２を取り付けているが、全面にプレートを取付けてもよい。プレートの取り付け方法は、柱が金属でありプレートも金属ならば溶接、ボルト締等があり、木材やプラスチックならば、接着、金具での固定他各種の方法がある。いずれにせよ、ほぞ２３を介して上に乗る寝台３、落下防止枠４及び利用者の体重等の荷重に耐えればよい。４本の柱２１は、同じ長さであり、この柱に取り付けるプレート２２は水平となる．このプレートに対し垂直にほぞを２３固定する。ほぞは確実にプレートに固定する。ほぞが不安定でぐらついたりすれば、睡眠ができなくなるばかりか安全性に欠けることとなる。
【００３１】
図２は、３本の柱２１を直角三角形に連結したほぞ付き支持柱２の概略図である。図２の（Ａ）は、平面図と正面図であり、（Ｂ）は側面図である。３本の柱２１は横木２４により連結されている。その３本の柱でつくられた上面の直角三角形の一部又は全部にプレートを取り付ける。図２ではプレートは直角三角形の面の一部に取り付けている。プレートと柱の固定方法は４本の柱と同じである。この水平となっているプレートに対しほぞを垂直に固定する。ほぞの安定性が必要であることは前述の通りである。図３には３本の柱を使用した直角ほぞ付き支持柱の概略斜視図を示す。図３では、最下段の横木２４の下には柱見えていない。
【００３２】
図４は、１本の筒状柱の上にプレートを取り付けそのプレートに垂直に固定したほぞ付き支持柱の平面図と正面図である。図４では、角パイプの柱を使用しているが、円パイプでもよい。
【００３３】
各ほぞ付き支持柱の下方の面には、図示していないが、滑り止めのついたプレートを取り付け、地震に備えることが望まれる。
また、４本の柱２１を使用するほぞ付き支持柱２と３本の柱２１を利用するほぞ付き支持柱２では横木２４がステップの代わりとなり、寝台への昇降用の梯子は付ける必要がない場合もある。
【実施例２】
【００３４】
図５は、寝台３の概略図である。図５の(１)が平面図、(２)が正面図である。寝台とは、人が寝るための適当な広さを持った長方形の平面板をいう。寝台３は人の重量に耐えるための所定の厚さがあり、その４隅にはほぞ通し孔３１が設けられ、この４つのほぞ通し孔３１にほぞ付き支持柱２のほぞ２３が貫通し、ロフトベッドが組み立てられる。さらに通風孔３２が開けられている。
なお、図５のほぞ通し孔３１は四角形になっているが、ほぞ付き支持柱２のほぞの形状に合わせるものであり、ほぞ２３の断面が円形ならばほぞ通し孔３１も円形となる。
【実施例３】
【００３５】
図６は、落下防止枠４の概略図である。落下防止枠４の上下の４隅にはほぞ通し孔のためのプレート４２が取り付けられ、そこにほぞ通し孔４１が開けられている。ほぞ付き支持柱２のほぞは、寝台３のほぞ通し孔３１を貫通し落下防止枠４の下面のほぞ通し孔４１を貫通し上面のほぞ通し孔４１を貫通して、寝台３の上に乗せられる。なお、図５では、落下防止枠４は、ほぞ通し孔４１のためのプレートを取り付けたが、寝台の４隅のほぞ通し孔３１を貫通したほぞ付き支持柱２のほぞが貫通できる構造であれば足り、ほぞ通し孔のためのプレートを取り付けるか否かは任意である。図６において、ほぞ通し孔４１は角型となっているが、ほぞの断面により角型あるいは円形他であってもよい。
【００３６】
図７は、落下防止枠４の概略図であるが、枠の中に横木４３や縦木４４を付けることが、強度、安全上から必要である。図７では落下防止枠４の長手方向の正面から横木４３や縦木４４を設けたものを例として示す。
【実施例４】
【００３７】
図８は、化粧枠５の平面概略図である。所定の厚さを有しているが、正面図は簡単であり省いた。化粧枠５の４隅にもほぞ付き支持柱２のほぞが貫通できるようにほぞ通し孔５１が開けられている。化粧枠５は、感触及び外観をよくするためにつけるものであり、木製としている。
【実施例５】
【００３８】
図９は、組立用ロフトベッド１の正面図と側面図である。図９の(１)は、正面図、(２)は側面図である。ほぞ付き支持柱２の上に、そのほぞ２３を介し、寝台３、落下防止枠４、化粧枠５が乗っている。
図１０は、組立用ロフトベッド１の平面図と底面図である。図１０の(１)は平面図であり、(２)は底面図である。寝台３の上には、落下防止枠４と木製化粧枠５が乗り、寝台３には通風孔３２が開けられている。但し、落下防止枠４は表われていない。ほぞ付き支持柱２は３本の柱２１からなり、直角三角形の面をつくり、その面の一部にほぞ２３を垂直に立てるプレート２２が取り付けられている。尚、図示しないが、ほぞ付き支持柱間に筋交いを付けることにより耐震性が増し、安全性が確保される場合もある。
【００３９】
図１１には、木製化粧枠が寝台３の上に乗り、通風孔３２の形状を変化させた寝台３の３例を参考図として示す。落下防止枠４も寝台３の上に載っているが、図１１では表されていない。
【符号の説明】
【００４０】
１  組立用ロフトベッド
２  ほぞ付き支柱柱  ２１  柱  ２２  プレート  ２３  ほぞ(突起部)  ２４  横木  ２５  筒状柱
３  寝台  ３１  （寝台の）ほぞ通し孔  ３２  通風孔
４  落下防止枠  ４１  (落下防止枠の)ほぞ通し孔  
４２  (ほぞ通し孔のための)プレート  ４３(落下防止枠の)横木  
４４  (落下防止枠の)縦木
５  木製化粧枠  ５１(木製化粧枠の)ほぞ通し孔
【産業上の利用可能性】
【００４１】
子供部屋、ワンルームマンション等の狭い部屋でもロフトベッドを使うことにより広く空間が使用できるようになる。本願の組立用ロフトベッドは、女性でも容易に組み立てすることができ、需要が期待される。
【図１】
2018068546.tif 000003
【図２】
2018068546.tif 000004
【図３】
2018068546.tif 000005
【図４】
2018068546.tif 000006
【図５】
2018068546.tif 000007
【図６】
2018068546.tif 000008
【図７】
2018068546.tif 000009
【図８】
2018068546.tif 000010
【図９】
2018068546.tif 000011
【図１０】
2018068546.tif 000012
【図１１】
2018068546.tif 000013